(57)【特許請求の範囲】
【請求項１】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、
前記座標系における、前記基地局マーカー、前記リレーノードマーカー、及び前記端末マーカーのそれぞれの位置を特定する位置特定部（１８１）と、
特定された前記基地局マーカーの位置と前記リレーノードマーカーの位置とに対して、前記端末マーカーの位置を変数として、前記移動体通信端末に到達するまでの前記第２のＲＦ信号の遅延量を算出する遅延量算出部（１８３）と、
算出された前記遅延量に基づき、前記端末マーカーの位置に応じた前記遅延量の大きさを識別可能なパターン（Ｇ１１）として前記操作画面上に表示させるパターン表示制御部（１８２２）と、
を備え、
前記パターン上で前記端末マーカーの位置が指定されたときに、前記第１のＲＦ信号と当該指定位置に対応する前記遅延量が与えられた前記第２のＲＦ信号とが多重された信号を模擬した前記試験信号を送信することを特徴とするリレーノードシミュレーター（１）。
【請求項２】
前記遅延量算出部は、前記座標系における、前記基地局マーカーと前記リレーノードマーカーとの間の距離に基づき前記遅延量を算出することを特徴とする請求項１に記載のリレーノードシミュレーター。
【請求項３】
前記パターン表示制御部は、前記パターンとして、算出された前記遅延量が略同一の前記位置を結んだ曲線を、前記遅延量ごとに前記操作画面上に表示させることを特徴とする請求項１または請求項２に記載のリレーノードシミュレーター。
【請求項４】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、
前記座標系における、前記基地局マーカー、前記リレーノードマーカー、及び前記端末マーカーのそれぞれの位置を特定する位置特定部（１８１）と、
前記基地局と前記リレーノードとのそれぞれの機器からの信号について、対応するマーカーからの前記座標系における距離に応じた減衰量を算出するゲイン算出部（１８４）と、
算出された前記減衰量を基に、前記座標系の各位置における前記それぞれの機器からの信号の前記減衰量の大きさを識別可能なパターン（Ｇ２１、Ｇ２２）として前記操作画面上に表示させるパターン表示制御部（１８２２）と、
を備え、
前記パターン上で前記基地局マーカー、前記リレーノードマーカー、及び前記端末マーカーのそれぞれの位置が特定されたときに、当該特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信することを特徴とするリレーノードシミュレーター（１）。
【請求項５】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、
前記座標系における、前記基地局マーカー、前記リレーノードマーカー、及び前記端末マーカーのそれぞれの位置を特定する位置特定部（１８１）と、
前記移動体通信端末が受信する信号について、前記端末マーカーからの前記座標系における距離に応じた減衰量を算出するゲイン算出部（１８４）と、
算出された前記減衰量を基に、前記座標系の各位置における前記減衰量の大きさを識別可能なパターン（Ｇ３１）として前記操作画面上に表示させるパターン表示制御部（１８２）と、
を備え、
前記パターン上で前記基地局マーカー、前記リレーノードマーカー、及び前記端末マーカーのそれぞれの位置が特定されたときに、前記特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信することを特徴とするリレーノードシミュレーター（１）。
【請求項６】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、
前記座標系における、前記基地局マーカー、前記リレーノードマーカー、及び前記端末マーカーのそれぞれの位置を特定する位置特定ステップと、
特定された前記基地局マーカーの位置と前記リレーノードマーカーの位置とに対して、前記端末マーカーの位置を変数として、前記移動体通信端末に到達するまでの前記第２のＲＦ信号の遅延量を算出する遅延量算出ステップと、
算出された前記遅延量に基づき、前記端末マーカーの位置に応じた前記遅延量の大きさを識別可能なパターン（Ｇ１１）として前記操作画面上に表示させるパターン生成ステップと、
前記パターン上で前記端末マーカーの位置が指定されたときに、前記第１のＲＦ信号と当該指定位置に対応する前記遅延量が与えられた前記第２のＲＦ信号とが多重された信号を模擬した前記試験信号を送信する送信ステップと、
を備えたことを特徴とする試験方法。
【請求項７】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、
前記座標系における、前記基地局マーカー、前記リレーノードマーカー、及び前記端末マーカーのそれぞれの位置を特定する位置特定ステップと、
前記基地局と前記リレーノードとのそれぞれの機器からの信号について、対応するマーカーからの前記座標系における距離に応じた減衰量を算出するゲイン算出ステップと、
算出された前記減衰量を基に、前記座標系の各位置における前記それぞれの機器からの信号の前記減衰量の大きさを識別可能なパターン（Ｇ２１、Ｇ２２）として前記操作画面上に表示させるパターン生成ステップと、
前記パターン上で前記基地局マーカー、前記リレーノードマーカー、及び前記端末マーカーのそれぞれの位置が特定されたときに、当該特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信する送信ステップと、
を備えたことを特徴とする試験方法。
【請求項８】
基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、
前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、
前記座標系における、前記基地局マーカー、前記リレーノードマーカー、及び前記端末マーカーのそれぞれの位置を特定する位置特定ステップと、
前記移動体通信端末が受信する信号について、前記端末マーカーからの前記座標系における距離に応じた減衰量を算出するゲイン算出ステップと、
算出された前記減衰量を基に、前記座標系の各位置における前記減衰量の大きさを識別可能なパターン（Ｇ３１）として前記操作画面上に表示させるパターン生成ステップと、
前記パターン上で前記基地局マーカー、前記リレーノードマーカー、及び前記端末マーカーのそれぞれの位置が特定されたときに、前記特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信する送信ステップと、
を備えたことを特徴とする試験方法。
【発明の詳細な説明】
【技術分野】
【０００１】
本発明は、基地局と移動体通信端末との間の通信を中継するリレーノードを模擬するための、リレーノードシミュレーターの技術に関する。
【背景技術】
【０００２】
次世代移動通信システムの無線アクセス方式として、ＬＴＥ（Ｌｏｎｇ  Ｔｅｒｍ  Ｅｖｏｌｕｔｉｏｎ）を更に発展させたＬＴＥ−Ａｄｖａｎｃｅｄの標準化が、３ＧＰＰにより進められている。ＬＴＥ−Ａｄｖａｎｃｅｄでは、レイヤ３レベルで基地局と移動体通信端末との間の無線信号を再生中継するリレー技術が検討されている。このようなリレー技術が用いられたリレーノードを適用することで、交換局及び無線基地局等の移動通信システムを構成する装置間を有線で接続するための有線バックホール回線の確保が困難な場所等における、効率的なカバレッジの拡大が期待されている（特許文献１）。
【０００３】
このようなリレーノードでは、基地局とリレーノードとの間の無線バックホール回線と、リレーノードと移動体通信端末との間の無線アクセス回線とを、同一周波数で運用する場合がある。このような場合には、これらの回線間で十分なアイソレーションが確保されていない場合には、送信信号がリレーノードの受信部に回り込み、干渉を引き起こす。そのため、同一周波数で運用する場合には、無線バックホール回線及び無線アクセス回線の無線リソースを時分割多重（ＴＤＭ：Ｔｉｍｅ  Ｄｉｖｉｓｉｏｎ  Ｍｕｌｔｉｐｌｅｘｉｎｇ）し、リレーノードにおいて送受信が同時に行われないように制御される。なお、前述の構成の他に、基地局から継続して信号を出力し、基地局からの信号とリレーノードからの信号とに対してリソースエレメントの割当てを制御することで、これらの信号の干渉を防止する構成も検討されているが、このような構成にも対しても、本発明は適用できる。以降では、前述の時分割多重の構成を例として説明する。
【０００４】
しかしながら、基地局、リレーノード、及び移動体通信端末の位置関係によっては、各信号のレベルが変動したり、いずれかの信号に遅延が生じる場合がある。例えば、基地局から送信された信号のレベルは、移動体通信端末により受信されるまでに、基地局と移動体通信との間の距離に応じて減衰する。同様に、リレーノードから送信された信号のレベルは、移動体通信端末により受信されるまでに、リレーノードと移動体通信との間の距離に応じて減衰する。また、いずれかの信号に遅延が生じた場合には、これらの信号間で干渉が生じる場合がある。そのため、このような信号のレベルの変動や遅延が生じた場合を想定して、被試験端末である移動体通信端末の動作を検証する必要があり、このような環境を模擬するシミュレーターが求められている。
【先行技術文献】
【特許文献】
【０００５】
【特許文献１】特開２０１１−８２６７８号公報
【発明の概要】
【発明が解決しようとする課題】
【０００６】
この発明は、基地局、リレーノード、及び被試験端末の位置関係と、その位置関係に応じた遅延量または減衰量を確認可能に表示画面上に表示させ、それらの値を容易に設定可能なリレーノードシミュレーターを提供することを目的とする。
【課題を解決するための手段】
【０００７】
上記目的を達成するために、請求項１に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、前記座標系における、前記基地局マーカー、前記リレーノードマーカー、及び前記端末マーカーのそれぞれの位置を特定する位置特定部（１８１）と、特定された前記基地局マーカーの位置と前記リレーノードマーカーの位置とに対して、前記端末マーカーの位置を変数として、前記移動体通信端末に到達するまでの前記第２のＲＦ信号の遅延量を算出する遅延量算出部（１８３）と、算出された前記遅延量に基づき、前記端末マーカーの位置に応じた前記遅延量の大きさを識別可能なパターン（Ｇ１１）として前記操作画面上に表示させるパターン表示制御部（１８２２）と、を備え、前記パターン上で前記端末マーカーの位置が指定されたときに、前記第１のＲＦ信号と当該指定位置に対応する前記遅延量が与えられた前記第２の信号とが多重された信号を模擬した前記試験信号を送信することを特徴とするリレーノードシミュレーター（１）である。
また、請求項２に記載の発明は、請求項１に記載のリレーノードシミュレーターであって、前記遅延量算出部は、前記座標系における、前記基地局マーカーと前記リレーノードマーカーとの間の距離に基づき前記遅延量を算出することを特徴とする。
また、請求項３に記載の発明は、請求項１または請求項２に記載のリレーノードシミュレーターであって、前記パターン表示制御部は、前記パターンとして、算出された前記遅延量が略同一の前記位置を結んだ曲線を、前記遅延量ごとに前記操作画面上に表示させることを特徴とする。
また、請求項４に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、前記座標系における、前記基地局マーカー、前記リレーノードマーカー、及び前記端末マーカーのそれぞれの位置を特定する位置特定部（１８１）と、前記基地局と前記リレーノードとのそれぞれの機器からの信号について、対応するマーカーからの前記座標系における距離に応じた減衰量を算出するゲイン算出部（１８４）と、算出された前記減衰量を基に、前記座標系の各位置における前記それぞれの機器からの信号の前記減衰量の大きさを識別可能なパターン（Ｇ２１、Ｇ２２）として前記操作画面上に表示させるパターン表示制御部（１８２２）と、を備え、前記パターン上で前記基地局マーカー、前記リレーノードマーカー、及び前記端末マーカーのそれぞれの位置が特定されたときに、当該特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信することを特徴とするリレーノードシミュレーター（１）である。
また、請求項５に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信するリレーノードシミュレーターであって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させるマーカー表示制御部（１８２１）と、前記座標系における、前記基地局マーカー、前記リレーノードマーカー、及び前記端末マーカーのそれぞれの位置を特定する位置特定部（１８１）と、前記移動体通信端末が受信する信号について、前記端末マーカーからの前記座標系における距離に応じた減衰量を算出するゲイン算出部（１８４）と、算出された前記減衰量を基に、前記座標系の各位置における前記減衰量の大きさを識別可能なパターン（Ｇ３１）として前記操作画面上に表示させるパターン表示制御部（１８２）と、を備え、前記パターン上で前記基地局マーカー、前記リレーノードマーカー、及び前記端末マーカーのそれぞれの位置が特定されたときに、前記特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信することを特徴とするリレーノードシミュレーター（１）である。
また、請求項６に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、前記座標系における、前記基地局マーカー、前記リレーノードマーカー、及び前記端末マーカーのそれぞれの位置を特定する位置特定ステップと、特定された前記基地局マーカーの位置と前記リレーノードマーカーの位置とに対して、前記端末マーカーの位置を変数として、前記移動体通信端末に到達するまでの前記第２のＲＦ信号の遅延量を算出する遅延量算出ステップと、算出された前記遅延量に基づき、前記端末マーカーの位置に応じた前記遅延量の大きさを識別可能なパターン（Ｇ１１）として前記操作画面上に表示させるパターン生成ステップと、前記パターン上で前記端末マーカーの位置が指定されたときに、前記第１のＲＦ信号と当該指定位置に対応する前記遅延量が与えられた前記第２の信号とが多重された信号を模擬した前記試験信号を送信する送信ステップと、を備えたことを特徴とする試験方法である。
また、請求項７に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、前記座標系における、前記基地局マーカー、前記リレーノードマーカー、及び前記端末マーカーのそれぞれの位置を特定する位置特定ステップと、前記基地局と前記リレーノードとのそれぞれの機器からの信号について、対応するマーカーからの前記座標系における距離に応じた減衰量を算出するゲイン算出ステップと、算出された前記減衰量を基に、前記座標系の各位置における前記それぞれの機器からの信号の前記減衰量の大きさを識別可能なパターン（Ｇ２１、Ｇ２２）として前記操作画面上に表示させるパターン生成ステップと、前記パターン上で前記基地局マーカー、前記リレーノードマーカー、及び前記端末マーカーのそれぞれの位置が特定されたときに、当該特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信する送信ステップと、を備えたことを特徴とする試験方法である。
また、請求項８に記載の発明は、基地局からの第１のＲＦ信号を中継して第２のＲＦ信号として移動体通信端末へ送信するリレーノードを模擬し、前記第１のＲＦ信号と前記第２のＲＦ信号とが多重された信号を模擬した試験信号を試験対象の移動体通信端末に送信する試験方法であって、前記基地局に相当する基地局マーカー（ＶｅＮＢ）と、前記リレーノードに相当するリレーノードマーカー（ＶＲＮ）と、前記移動体通信端末に相当する端末マーカー（ＶＵＥ）とを所定の座標系に対応付けて、操作画面上に相対的に移動可能に表示させる画面表示ステップと、前記座標系における、前記基地局マーカー、前記リレーノードマーカー、及び前記端末マーカーのそれぞれの位置を特定する位置特定ステップと、前記移動体通信端末が受信する信号について、前記端末マーカーからの前記座標系における距離に応じた減衰量を算出するゲイン算出ステップと、算出された前記減衰量を基に、前記座標系の各位置における前記減衰量の大きさを識別可能なパターン（Ｇ３１）として前記操作画面上に表示させるパターン生成ステップと、前記パターン上で前記基地局マーカー、前記リレーノードマーカー、及び前記端末マーカーのそれぞれの位置が特定されたときに、前記特定位置に対応する前記基地局からの前記減衰量が与えられた前記第１のＲＦ信号と当該特定位置に対応する前記リレーノードからの前記減衰量が与えられた前記第２のＲＦ信号とが多重された信号を模擬した前記試験信号を送信する送信ステップと、を備えたことを特徴とする試験方法である。
【発明の効果】
【０００８】
本発明に係るリレーノードシミュレーター及び試験方法は、基地局マーカー及びリレーノードマーカーの位置に基づき、端末マーカーの位置を変化させた場合における、移動体通信端末に到達するまでの第１のＲＦ信号に対する第２のＲＦ信号の遅延量を算出し、この遅延量の大きさを識別可能に操作画面上に表示させる。そして、操作画面上で指定された端末マーカーの位置に対応する遅延量に応じた試験信号を生成して送信する。これにより、基地局マーカー、リレーノードマーカー、及び端末マーカーの位置関係を決めるだけで、この位置関係に応じた試験信号を生成するための遅延量を設定することが可能となり、この遅延量を容易に設定できる。
【０００９】
また、本発明に係るリレーノードシミュレーター及び試験方法は、操作画面上で指定された端末マーカーからの座標系における距離に応じた減衰量を算出し、この減衰量の大きさを識別可能に操作画面上に表示させる。そして、操作画面上で特定された基地局マーカー、リレーノードマーカー、及び端末マーカーのそれぞれの位置に対応する減衰量に応じた試験信号を生成して送信する。これにより、基地局マーカー、リレーノードマーカー、及び端末マーカーの位置関係を決めるだけで、この位置関係に応じた試験信号を生成するための減衰量を設定することが可能となり、この減衰量を容易に設定できる。
【図面の簡単な説明】
【００１０】
【図１】本発明に係るリレーノードシミュレーターの概略的な構成を示したブロック図である。
【図２Ａ】ダウンリンク処理部の詳細な構成を示したブロック図である。
【図２Ｂ】ＵＩ制御部の詳細な構成を示したブロック図である。
【図３】基地局、リレーノード、及び移動体通信端末の位置関係を示した概略図である。
【図４Ａ】基地局からの信号とリレーノードからの信号の関係を示した概略図である。
【図４Ｂ】基地局からの信号とリレーノードからの信号の関係を示した概略図である。
【図４Ｃ】基地局からの信号とリレーノードからの信号の関係を示した概略図である。
【図５Ａ】本発明に係るＵＩの操作方法について説明するための図である。
【図５Ｂ】本発明に係るＵＩの操作方法について説明するための図である。
【図６Ａ】ＵＩ上に表示されるパターンの一例である。
【図６Ｂ】ＵＩ上に表示されるパターンの一例である。
【図６Ｃ】ＵＩ上に表示されるパターンの一例である。
【図７】ＵＩ制御部の一連の動作を示したフローチャートである。
【発明を実施するための形態】
【００１１】
本発明に係るリレーノードシミュレーター１は、リレーノードを模擬するためのシミュレーターである。リレーノードシミュレーター１は、図１に示すように、ｅＮＢ（基地局模擬装置）５００と被試験端末６００との間に介在する。リレーノードシミュレーター１は、ダウンリンク処理部１０と、アップリンク処理部２０と、方向性結合器３１と、方向性結合器３２とを含んで構成されている。
【００１２】
方向性結合器３１は、ｅＮＢ５００からＲＦ信号（即ち、基地局信号）Ｅ０’を受けて、これをダウンリンク処理部１０に伝送する。また、方向性結合器３１は、アップリンク処理部２０から信号を受けて、これをｅＮＢ５００に転送する。
【００１３】
ダウンリンク処理部１０は、リレーノードのダウンリンクに係る処理を模擬するための処理ブロックである。ダウンリンク処理部１０は、方向性結合器３１を介してｅＮＢ５００から送信されたアナログのＲＦ信号Ｅ０’を受ける。ダウンリンク処理部１０は、ｅＮＢ５００から信号を基にリレーノードの出力としてのベースバンド信号Ｅ１を生成するとともに、このベースバンド信号Ｅ１にｅＮＢ５００からのベースバンド信号Ｅ０を合成してＲＦ信号に変換し、試験信号として被試験端末６００に向けて送信する。このダウンリンク処理部１０の詳細な構成と動作については後述する。
【００１４】
方向性結合器３２は、ダウンリンク処理部１０からの試験信号を受けて、これを被試験端末６００に伝送する。また、方向性結合器３２は、被試験端末６００から送信された信号を受けて、これをアップリンク処理部２０に伝送する。
【００１５】
アップリンク処理部２０は、リレーノードのアップリンクに係る処理を模擬するための処理ブロックである。アップリンク処理部２０は、方向性結合器３２を介して被試験端末６００から送信されたアナログのＲＦ信号を受ける。アップリンク処理部２０は、このＲＦ信号を復調し、所定の通信方式に基づきデジタルデータに復号する。アップリンク処理部２０は、復号されたデジタルデータのうち、制御信号に相当するデータをリレーノードの設定に基づき書き替える。アップリンク処理部２０は、このデジタルデータを所定の通信方式に基づき符号化し、アナログのＲＦ信号に変調してｅＮＢ５００に向けて送信する。なお、アップリンク処理部２０の具体的な動作は、「３ＧＰＰ  ＴＳ３６．２１１  Ｖ１０．０．０」等で定義されている。
【００１６】
次に、ダウンリンク処理部１０の詳細について説明する。まず、図３を参照する。図３は、基地局ｅＮＢと、リレーノードＲＮと、移動体通信端末ＵＥとの位置関係を模式的に示した図である。例えば、基地局ｅＮＢと移動体通信端末ＵＥとの間の距離をＬ０、基地局ｅＮＢとリレーノードＲＮとの間の距離をＬ１、リレーノードＲＮと移動体通信端末ＵＥとの間の距離をＬ２とする。
【００１７】
このリレーノードＲＮがレイヤ３のリレーノードの場合には、基地局ｅＮＢから送信されたＲＦ信号Ｅ０’と、ＲＦ信号Ｅ０’を中継してリレーノードＲＮから出力されるＲＦ信号Ｅ１’とは、異なる信号として取り扱われる。このような場合において、ＲＦ信号Ｅ０’とＲＦ信号Ｅ１’とが同一周波数で送信されると、リレーノードＲＮからの送信信号（ＲＦ信号Ｅ１’）がリレーノードＲＮの受信側（ＲＦ信号Ｅ０’）に回り込み、干渉する可能性がある。そのため、このような場合には、リレーノードＲＮは、基地局ｅＮＢから送信されたＲＦ信号Ｅ０’の受信と、移動体通信端末ＵＥに向けたＲＦ信号Ｅ１’の送信を時分割で行う。このような場合には、基地局ｅＮＢから送信されるＲＦ信号Ｅ０’は、サブフレームごとに時分割されて所定のタイミングで移動体通信端末やリレーノードに送信される。リレーノードＲＮは、このタイミングにあわせて、ＲＦ信号Ｅ０’を受信し、ＲＦ信号Ｅ０’の受信とは異なるタイミングでＲＦ信号Ｅ１’を移動体通信端末ＵＥに向けて送信する。この、ＲＦ信号Ｅ０’及びＲＦ信号Ｅ１’の双方を受信可能なエリアでは、ＲＦ信号Ｅ０’とＲＦ信号Ｅ１’とが、移動体通信端末ＵＥにむけて、時分割で送信されることになる。図４Ａに、このような場合における、ＲＦ信号Ｅ０’とＲＦ信号Ｅ１’との関係の概略を示す。
【００１８】
移動体通信端末ＵＥは、理想的には、図４Ａに示すようにＲＦ信号Ｅ１’とＲＦ信号Ｅ０’とを時分割で受信する。しかしながら、基地局ｅＮＢ、リレーノードＲＮ、及び移動体通信端末ＵＥとの間の位置関係に応じて、これらの信号の減衰や遅延が生じる場合がある。以下では、理解を容易にするために、基地局ｅＮＢの信号出力レベルと、リレーノードＲＮの信号出力レベルとが同じであるものとして説明する。例えば、図４Ｂは、ＲＦ信号Ｅ１’に遅延が生じた場合を示している。このような場合には、ＲＦ信号Ｅ０’とＲＦ信号Ｅ１’との間で干渉が生じる。また、距離Ｌ０に応じてＲＦ信号Ｅ０’が減衰する。例えば、図４Ｃは、距離Ｌ０＞Ｌ２の場合を示しており、この場合には、ＲＦ信号Ｅ１’のレベルに対してＲＦ信号Ｅ０’のレベルが低くなる。本実施形態に係るリレーノードシミュレーターのダウンリンク処理部１０は、このような環境を模擬し、移動体通信端末ＵＥに相当する被試験端末６００の動作を試験する。なお、この場合には、ｅＮＢ５００が基地局ｅＮＢに相当し、ダウンリンク処理部１０が、リレーノードＲＮのダウンリンク処理部分と、距離Ｌ０とＬ２の距離差に応じた、基地局ｅＮＢからの信号とリレーノードＲＮからの信号とのレベル差及び遅延とを模擬する。具体的には、ダウンリンク処理部１０は、ｅＮＢ５００からＲＦ信号Ｅ０’を受けて、これを基に、ＲＦ信号Ｅ０’とＲＦ信号Ｅ１’とが加算された試験信号を生成して被試験端末６００（即ち、移動体通信端末）に向けて送信する。
【００１９】
ダウンリンク処理部１０の構成について、図２Ａを参照しながら説明する。図２Ａは、ダウンリンク処理部１０の詳細な構成を示したブロック図である。図２Ａに示すように、ダウンリンク処理部１０は、受信部１１と、リレーノード処理部１２と、ゲイン調整部１３１と、遅延処理部１３２と、ゲイン調整部１４と、加算器１５と、送信部１６と、制御部１７と、ＵＩ制御部１８とを含んで構成されている。リレーノード処理部１２は、実際のリレーノードのベースバンド信号処理を模擬する構成となっており、実際のリレーノードが生成すべきベースバンド信号を生成するようになっている。このリレーノードが生成すべきベースバンド信号は、リレーノードが移動体通信端末に向けて送信するＲＦ信号に対応したベースバンド信号である。リレーノード処理部１２は、復調部１２１と、Ｕ−Ｐｌａｎｅ再生処理部１２２と、Ｕ−Ｐｌａｎｅ伝送処理部１２３と、Ｃ−Ｐｌａｎｅ伝送処理部１２４と、変調部１２５とを含んで構成されている。
【００２０】
受信部１１は、所定のタイミングに基づきｅＮＢ５００から時分割で送信されたＲＦ信号Ｅ０’を受ける。受信部１１は、受けたＲＦ信号をＩＦ（中間周波数）信号に周波数変換し、このＩＦ信号をＡ／Ｄ変換して周波数シフトを行うことでデジタルのベースバンド信号Ｅ０を得る。このベースバンド信号Ｅ０は、ＲＦ信号Ｅ０’に対応したベースバンド信号である。受信部１１は、このベースバンド信号Ｅ０を復調部１２１及びゲイン調整部１４にそれぞれ出力する。
【００２１】
復調部１２１、Ｕ−Ｐｌａｎｅ再生処理部１２２、Ｕ−Ｐｌａｎｅ伝送処理部１２３、Ｃ−Ｐｌａｎｅ伝送処理部１２４、及び変調部１２５は、模擬されるリレーノードＲＮの復調・復号処理及び符号・変調処理を行う部分の構成に相当する。そのため、これらの構成は、あらかじめ決められた通信方式の規約（例えば、３ＧＰＰ  ＴＳ３６．２１１  Ｖ１０．０．０）に準拠して動作する。以降では、これらの構成の一例を説明する。
【００２２】
復調部１２１は、受信部１１からのベースバンド信号Ｅ０を受けて、復調処理を行う。この復調された信号は、所定の通信方式（ＬＴＥ）に応じた符号化方式（例えば、ＯＦＤＭＡ）に基づくフレーム構造を有する。
【００２３】
復調部１２１は、前述した所定の通信方式に基づき復調された信号を復号してデジタルデータを取り出す。復調部１２１は、取り出されたデジタルデータを、Ｕ−Ｐｌａｎｅ再生処理部１２２に出力する。また、復調部１２１は、Ｃ−Ｐｌａｎｅ伝送処理部１２４にＣ−Ｐｌａｎｅの生成を行うための情報を送出する。また、復調部１２１は、ベースバンド信号Ｅ０の同期タイミングを変調部１２５に通知する。
【００２４】
ここで、復調された信号を復号して取出されたデジタルデータのプロトコル構成について説明する。このデータは、Ｕ−Ｐｌａｎｅ（Ｕｓｅｒ  Ｐｌａｎｅ）プロトコルと、Ｃ−Ｐｌａｎｅ（Ｃｏｎｔｒｏｌ  Ｐｌａｎｅ）プロトコルとを含んで構成されている。Ｕ−Ｐｌａｎｅプロトコルは、ユーザーデータを取り扱うプロトコルである。以降では、単にＵ−Ｐｌａｎｅと呼ぶ。また、Ｃ−Ｐｌａｎｅプロトコルは、制御を行うためのデータを取り扱うプロトコルである。以降では、単にＣ−Ｐｌａｎｅと呼ぶ。
【００２５】
Ｕ−Ｐｌａｎｅ再生処理部１２２は、復調部１２１からデジタルデータを受ける。Ｕ−Ｐｌａｎｅ再生処理部１２２は、このデジタルデータのＣ−Ｐｌａｎｅに含まれる制御情報に基づき、デジタルデータからＵ−Ｐｌａｎｅを再生する。Ｕ−Ｐｌａｎｅ再生処理部１２２は、再生されたＵ−ＰｌａｎｅをＵ−Ｐｌａｎｅ伝送処理部１２３に出力する。
【００２６】
Ｕ−Ｐｌａｎｅ伝送処理部１２３は、Ｕ−Ｐｌａｎｅ再生処理部１２２からＵ−Ｐｌａｎｅを受ける。Ｕ−Ｐｌａｎｅ伝送処理部１２３は、基地局と同等の無線制御機能を有している。この無線制御機能には、例えば、ＰＤＣＰ（Ｐａｃｋｅｔ  Ｄａｔａ  Ｃｏｎｖｅｒｇｅｎｃｅ  Ｐｒｏｔｏｃｏｌ）サブレイヤ、ＲＬＣ（Ｒａｄｉｏ  Ｌｉｎｋ  Ｃｏｎｔｒｏｌ）サブレイヤ、ＭＡＣ（Ｍｅｄｉｕｍ  Ａｃｃｅｓｓ  Ｃｏｎｔｒｏｌ）サブレイヤ、ＲＲＣ（Ｒａｄｉｏ  Ｒｅｓｏｕｒｃｅ  Ｃｏｎｔｒｏｌ）サブレイヤが含まれる。ＰＤＣＰサブレイヤは、ユーザーデータの秘匿及びヘッダ圧縮等を行う。また、ＲＬＣサブレイヤは、ＡＲＱ（Ａｕｔｏｍａｔｉｃ  Ｒｅｐｅａｔ  ｒｅＱｕｅｓｔ）による再送制御及びＳＤＵ（Ｓｅｒｖｉｃｅ  Ｄａｔａ  Ｕｎｉｔ）分割、結合及び順序制御等を行う。また、ＭＡＣサブレイヤは、ＨＡＲＱ及びユーザーデータスケジューリング等を行う。また、ＲＲＣサブレイヤは、モビリティ、ＱｏＳ、セキュリティ制御を行う。Ｕ−Ｐｌａｎｅ伝送処理部１２３は、受けたＵ−Ｐｌａｎｅに対してこれらの無線制御を行う。Ｕ−Ｐｌａｎｅ伝送処理部１２３は、無線制御が施されたＵ−Ｐｌａｎｅを変調部１２５に出力する。
【００２７】
Ｃ−Ｐｌａｎｅ伝送処理部１２４は、復調部１２１及び制御部１７からの情報を受けて、ダウンリンク処理部１０が模擬するリレーノードＲＮと被試験端末６００との間のネットワークを制御するためのデータ、即ち、Ｃ−Ｐｌａｎｅを生成する。この生成されたＣ−Ｐｌａｎｅに基づき、例えば、模擬されるリレーノードＲＮと被試験端末６００との間の伝送路の設定や、ハンドオーバーの制御等が行われる。Ｃ−Ｐｌａｎｅ伝送処理部１２４は、生成されたＣ−Ｐｌａｎｅを変調部１２５に出力する。
【００２８】
変調部１２５は、Ｕ−Ｐｌａｎｅ伝送処理部１２３からＵ−Ｐｌａｎｅを受ける。また、変調部１２５は、Ｃ−Ｐｌａｎｅ伝送処理部１２４からＣ−Ｐｌａｎｅを受ける。変調部１２５は、受けたＣ−Ｐｌａｎｅ及びＵ−Ｐｌａｎｅによりデジタルデータを生成する。変調部１２５は、生成されたデジタルデータを所定の通信方式に基づき符号化及びデジタル変調してベースバンド信号を生成する。また、変調部１２５は、同期タイミングを復調部１２１から受ける。変調部１２５は、生成されたベースバンド信号が、この通知された同期タイミングに同期するように、このベースバンド信号に対して遅延処理を施す。変調部１２５は、遅延処理が施されたベースバンド信号Ｅ１をゲイン調整部１３１に出力する。
【００２９】
ゲイン調整部１３１は、変調部１２５から、ベースバンド信号Ｅ１を受ける。また、ゲイン調整部１３１は、測定条件としてあらかじめ設定されたリレーノードから出力される信号のレベルＰｒｎを示す情報を制御部１７から受ける。ゲイン調整部１３１は、ベースバンド信号Ｅ１のレベルがレベルＰｒｎとなるようにゲインを決定し、そのゲインでベースバンド信号Ｅ１のレベルを調整する。
【００３０】
なお、ゲイン調整部１３１は、実回線で想定されるリレーノードＲＮと被試験端末６００（即ち、移動体通信端末ＵＥ）との間におけるベースバンド信号Ｅ１の減衰量を算出し、ベースバンド信号Ｅ１のレベルを、レベルＰｒｎからこの減衰量分だけ減衰させたレベルとなるようにゲインを調整してもよい。この場合には、ゲイン調整部１３１は、あらかじめ設定されたリレーノードと被試験端末６００との間の距離（例えば、距離Ｌ２）を示す情報を制御部１７から受けて、この距離を示す情報を基にベースバンド信号の減衰量を算出すればよい。
【００３１】
ゲイン調整部１３１は、レベルが調整されたベースバンド信号Ｅ１を遅延処理部１３２に出力する。
【００３２】
遅延処理部１３２は、レベルが調整されたベースバンド信号Ｅ１をゲイン調整部１３１から受ける。また、遅延処理部１３２は、制御部１７から遅延量Ｄ１を示す情報を受ける。遅延処理部１３２は、ベースバンド信号Ｅ１に遅延量Ｄ１を与える。なお、後述するように、ベースバンド信号Ｅ０とＥ１は加算されて周波数変換され、試験信号であるＲＦ信号になる。この試験信号には、ベースバンド信号Ｅ０が周波数変換されたＲＦ信号Ｅ０’と、ベースバンド信号Ｅ１が周波数変換されたＲＦ信号Ｅ１’とが含まれる。ここで、図４Ｂに、遅延処理部１３２により、遅延が与えられたＲＦ信号Ｅ１’と、ｅＮＢ５００から送信されたＲＦ信号Ｅ０’との関係を示す。このように、遅延処理部１３２によりＲＦ信号Ｅ１’に遅延量Ｄ１を施すことにより、基地局ｅＮＢ、リレーノードＲＮ、及び移動体通信端末ＵＥとの間の位置関係に基づくＲＦ信号Ｅ１’の遅延を模擬する。これにより、この遅延による、ＲＦ信号Ｅ０’とＲＦ信号Ｅ１’との間の干渉を模擬することが可能となる。遅延処理部１３２は、遅延が与えられたベースバンド信号Ｅ１を加算器１５に出力する。
【００３３】
次に、ダウンリンク処理部１０の、ベースバンド信号Ｅ０の出力に係る構成について説明する。ダウンリンク処理部１０は、ベースバンド信号Ｅ０のレベルを調整して出力することで、図４Ｃに示すような、ｅＮＢ５００（即ち、基地局ｅＮＢ）と被試験端末６００（即ち、移動体通信端末ＵＥ）との間の距離Ｌ０によるＲＦ信号Ｅ０’の減衰を模擬する。これらを模擬する構成がゲイン調整部１４である。各構成について以下に説明する。なお、本発明のリレーノードシミュレーターは、レベルが制御されたベースバンド信号を周波数変換してＲＦ信号とすることにより、レベルが制御されたＲＦ信号を出力するようになっている。
【００３４】
ゲイン調整部１４は、受信部１１からベースバンド信号Ｅ０を受ける。また、ゲイン調整部１４は、制御部１７からゲインＧｅｎｂを示す情報を受ける。ゲイン調整部１４は、ベースバンド信号Ｅ０のレベルを、ゲインＧｅｎｂで減衰もしくは増幅させることで調整する。これにより、ベースバンド信号Ｅ０のレベルが、図４Ｃに示すようにレベルＰｅｎｂ’に調整される。これにより、基地局ｅＮＢと移動体通信端末ＵＥとの間の距離Ｌ０に応じたＲＦ信号Ｅ０’の減衰を模擬することが可能となる。ゲイン調整部１４は、レベルが調整されたベースバンド信号Ｅ０を加算器１５に出力する。
【００３５】
加算器１５は、遅延が与えられたベースバンド信号Ｅ１を遅延処理部１３２から受ける。また、加算器１５は、レベルが調整されたベースバンド信号Ｅ０をゲイン調整部１４から受ける。加算器１５は、ベースバンド信号Ｅ０とベースバンド信号Ｅ１とを加算し、加算された信号を送信部１６に出力する。送信部１６は、加算された信号をＤ／Ａ変換して周波数変換し、これにより得られたＲＦ信号を試験信号として被試験端末６００に向けて送信する。
【００３６】
制御部１７は、ＵＩ１９を介して操作者が指定した測定条件やリレーノードＲＮの設定情報をＵＩ制御部１８から受ける。制御部１７は、測定条件として指示された、レベルＰｒｎ、ゲインＧｅｎｂ、及び遅延量Ｄ１を受ける。制御部１７は、レベルＰｒｎをゲイン調整部１３１に出力する。これを受けて、ゲイン調整部１３１は、ベースバンド信号Ｅ１のレベルを調整する。また、制御部１７は、遅延量Ｄ１を示す情報を遅延処理部１３２に出力する。これを受けて、遅延処理部１３２は、ベースバンド信号Ｅ１に遅延量Ｄ１を与える。また、制御部１７は、レベルＰｒｎ及びゲインＧｅｎｂをゲイン調整部１４に出力する。これを受けて、ゲイン調整部１４は、ベースバンド信号Ｅ０のレベルを調整する。
【００３７】
制御部１７は、ＵＩ１９を介して操作者から入力されたリレーノードＲＮの設定情報（例えば、リレーノードＲＮの識別情報）をＵＩ制御部１８から受ける。制御部１７は、この設定情報のうち、Ｃ−Ｐｌａｎｅを生成するために必要な情報をＣ−Ｐｌａｎｅ伝送処理部１２４に送出する。
【００３８】
ＵＩ制御部１８は、測定条件やリレーノードＲＮの設定情報を指定するための操作画面をＵＩ１９に表示させる。また、ＵＩ制御部１８は、この操作画面に基づく操作者から指示をＵＩ１９から受けて、これらの情報を生成して制御部１７に出力する。これにより、制御部１７は、ダウンリンク処理部１０の各構成の動作を、操作者により指定された測定条件や設定情報に基づき制御することが可能となる。
【００３９】
また、ＵＩ制御部１８は、基地局マーカーＶｅＮＢと、リレーノードマーカーＶＲＮと、端末マーカーＶＵＥとを含む操作画面をＵＩ１９に表示させる。基地局マーカーＶｅＮＢは、基地局ｅＮＢを模擬している。また、リレーノードマーカーＶＲＮは、リレーノードＲＮを模擬している。また、端末マーカーＶＵＥは、移動体通信端末ＵＥを模擬している。ＵＩ制御部１８は、ＵＩ１９を介して操作者による基地局マーカーＶｅＮＢ、リレーノードマーカーＶＲＮ、及び端末マーカーＶＵＥの位置の指定を受けて、これらの位置に基づき、遅延量Ｄ１、ゲインＧｅｎｂ、及びレベルＰｒｎを決定する。以降では、まず、この操作画面の構成について図５Ａ及び図５Ｂを参照しながら説明し、その後、この操作画面の生成及び表示に係る詳細な動作について、ＵＩ制御部１８の詳細な構成とあわせて説明する。図５Ａ及び図５Ｂは、この操作画面の一例を示しており、この操作画面の操作方法を説明するための図である。
【００４０】
（操作画面の構成）
図５Ａ及び図５Ｂに示すように、遅延及びゲインを指定するための操作画面は、基地局マーカーＶｅＮＢと、リレーノードマーカーＶＲＮと、端末マーカーＶＵＥとを含んで構成されている。これらのマーカーは、あらかじめ決められた共通の座標系に対応付けられている。なお、以降は、単に「座標系」と記載した場合には、この共通の座標系を指すものとする。図５Ａ及び図５Ｂに示した例では、横軸をｘ軸、縦軸をｙ軸としている。この操作画面は、これらの各マーカーを前述した座標系上の所望の位置に配置することにより、実環境における基地局ｅＮＢ、リレーノードＲＮ、及び移動体通信端末ＵＥの位置関係を指定可能に構成されている。
【００４１】
まず、図５Ａを参照する。この操作画面では、基地局マーカーＶｅＮＢは、座標系上の所定の位置（例えば、原点Ｏ（０，０））に固定されている。また、リレーノードマーカーＶＲＮは、基地局マーカーＶｅＮＢを基点として、所定の方向にのみ（一次元的に）移動可能に構成されている。図５Ａの例では、基地局マーカーＶｅＮＢは、ｘ方向に沿ってのみ移動可能に構成されている。基地局マーカーＶｅＮＢの位置が指定されることにより、座標系上における基地局マーカーＶｅＮＢとリレーノードマーカーＶＲＮとの間の距離Ｌ１’がＵＩ制御部１８に含まれる遅延量算出部１８３により算出される。この距離Ｌ１’を基に、実環境上における基地局ｅＮＢとリレーノードＲＮとの間の距離Ｌ１が算出される。遅延量算出部１８３の構成と、この動作の詳細については後述する。なお、基地局マーカーＶｅＮＢ及びリレーノードマーカーＶＲＮの相対的な位置をして可能であればよく、例えば、リレーノードマーカーＶＲＮの位置を固定し、基地局マーカーＶｅＮＢを一次元的に移動可能に構成してもよい。なお、以降では、基地局マーカーＶｅＮＢが固定されているものとして説明する。
【００４２】
次に、図５Ｂを参照する。基地局マーカーＶｅＮＢ及びリレーノードマーカーＶＲＮの位置が指定されると、端末マーカーＶＵＥが、座標系上において、その位置を指定可能に表示される。このとき、端末マーカーＶＵＥの移動は特に制約されることなく、二次元的に移動可能に表示される。端末マーカーＶＵＥの位置が指定されることにより、座標系上における端末マーカーＶＵＥと基地局マーカーＶｅＮＢとの間の距離Ｌ０’と、端末マーカーＶＵＥとリレーノードマーカーＶＲＮのとの間の距離Ｌ２’とが算出される。この距離Ｌ０’を基に、実環境上における移動体通信端末ＵＥと基地局ｅＮＢとの間の距離Ｌ０が算出される。また、距離Ｌ２’を基に、実環境上における移動体通信端末ＵＥとリレーノードＲＮとの間の距離Ｌ２が算出される。
【００４３】
また、本発明に係る操作画面では、基地局マーカーＶｅＮＢ及びリレーノードマーカーＶＲＮの位置が特定されると、遅延量算出部１８３が、座標系上の各位置におけるＲＦ信号Ｅ０’とＲＦ信号Ｅ１’との間の遅延量Ｄ１を算出する。その後、パターン表示制御部１８２２が、これを識別可能に提示したパターンＧ１１を操作画面上に表示させる。パターン表示制御部１８２２の詳細については後述する。図６Ａは、このパターンＧ１１の一例を示している。図６Ａでは、算出された各遅延量Ｄ１を基に等値線を描画することで、座標系上の各位置に応じた遅延量Ｄ１の変化を識別可能に表示している。なお、このパターンＧ１１の生成に係る構成及び動作については、パターン表示制御部１８２２の構成とあわせて後述する。このパターンＧ１１により、操作者は、端末マーカーＶＵＥの位置を変化させた場合に、各位置における遅延量Ｄ１の変化を容易に識別することが可能となる。なお、パターンＧ１１が、「第１のパターン」に相当する。
【００４４】
また、座標系上の各位置におけるＲＦ信号Ｅ０’及びＲＦ信号Ｅ１’の各減衰量を算出し、これを識別可能に提示したパターンＧ２１及びＧ２２を表示させてもよい。図６Ｂは、このパターンＧ２１及びＧ２２の一例を示している。図６Ｂでは、算出された各減衰量を基に等値線を描画することで、座標系上の各位置におけるＲＦ信号Ｅ０’及びＲＦ信号Ｅ１’ の減衰量を識別可能に表示している。なお、このパターンＧ２１及びＧ２２の生成に係る構成及び動作については後述する。このパターンＧ２１及びＧ２２により、操作者は、基地局マーカーＶｅＮＢ及びリレーノードマーカーＶＲＮの相対的な位置関係に応じて、各位置におけるＲＦ信号Ｅ０’及びＲＦ信号Ｅ１’ の減衰量の変化を容易に識別することが可能となる。
【００４５】
また、端末マーカーＶＵＥの位置指定を受けて、座標系上の各位置における移動体通信端末ＵＥからの信号の減衰量を算出し、これを識別可能に提示したパターンＧ３１を表示させてもよい。図６Ｃは、このパターンＧ３１の一例を示している。図６Ｃでは、算出された各減衰量を基に等値線を描画することで、座標系上の各位置における減衰量を識別可能に表示している。このパターンＧ３１により、操作者は、端末マーカーＶＵＥの位置に応じた、各位置における移動体通信端末ＵＥから信号の減衰量の変化を容易に識別することが可能となる。なお、パターンＧ２１、Ｇ２２、及びＧ３１が、「第２のパターン」に相当する。
【００４６】
（ＵＩ制御部１８の構成）
次に、ＵＩ制御部１８の詳細な構成について図２Ｂを参照しながら説明する。図２Ｂは、ＵＩ制御部１８の構成を示したブロック図である。図２Ｂに示すように、ＵＩ制御部１８は、位置特定部１８１と、表示制御部１８２と、遅延量算出部１８３と、ゲイン算出部１８４と、設定情報記憶部１８５と、設定情報出力部１８６とを含んで構成されている。また、表示制御部１８２は、マーカー表示制御部１８２１と、パターン表示制御部１８２２と、設定情報表示制御部１８２３とを含んで構成されている。
【００４７】
位置特定部１８１は、ＵＩ１９から、操作者により指定されたリレーノードマーカーＶＲＮの位置を示す情報（以降では、「位置情報」と呼ぶ）を受ける。例えば、図５Ａの場合には、位置特定部１８１は、ＵＩ１９からリレーノードマーカーＶＲＮの位置を示す座標Ｐ１（Ｌ１’，０）を位置情報として受ける。位置特定部１８１は、リレーノードマーカーＶＲＮの位置情報を表示制御部１８２に出力する。これを受けて、表示制御部１８２は、操作画面上のリレーノードマーカーＶＲＮの表示位置を更新し、この操作画面をＵＩ１９上に表示させる。また、位置特定部１８１は、基地局マーカーＶｅＮＢ及びリレーノードマーカーＶＲＮそれぞれの位置情報を遅延量算出部１８３及びゲイン算出部１８４に出力する。
【００４８】
また、リレーノードマーカーＶＲＮの位置の特定後に、位置特定部１８１は、ＵＩ１９から、操作者により指定された端末マーカーＶＵＥの位置を示す情報を受ける。例えば、図５Ｂの場合には、位置特定部１８１は、ＵＩ１９から端末マーカーＶＵＥの位置を示す座標Ｐ２（ｘ１，ｙ１）を位置情報として受ける。位置特定部１８１は、端末マーカーＶＵＥの位置情報を表示制御部１８２に出力する。これを受けて、表示制御部１８２は、操作画面上の端末マーカーＶＵＥの表示位置を更新し、この操作画面をＵＩ１９上に表示させる。また、位置特定部１８１は、端末マーカーＶＵＥの位置情報を遅延量算出部１８３及びゲイン算出部１８４に出力する。
【００４９】
遅延量算出部１８３は、位置特定部１８１から、基地局マーカーＶｅＮＢ及びリレーノードマーカーＶＲＮそれぞれの位置情報を受ける。遅延量算出部１８３は、これらの位置情報を基に、基地局マーカーＶｅＮＢとリレーノードマーカーＶＲＮとの間の距離Ｌ１’を算出する。遅延量算出部１８３は、座標系上の各位置（以降では、「サンプリングポイント」と呼ぶ）に対して、その位置と、基地局マーカーＶｅＮＢ及びリレーノードマーカーＶＲＮのそれぞれとの間の距離Ｌ０’及びＬ２’を算出する。遅延量算出部１８３は、算出された距離Ｌ１’、Ｌ０’、及びＬ２’を基に、距離Ｌ０’と距離Ｌ１’＋Ｌ２’との差Ｄｄｉｆｆを算出する。Ｄｄｉｆｆは、基地局マーカーＶｅＮＢの座標Ｏ（０，０）と、リレーノードマーカーＶＲＮの座標Ｐ１（Ｌ１’，０）と、端末マーカーＶＵＥの座標Ｐ２（ｘ１，ｙ１）とに基づき、以下の式１により算出される。なお、差Ｄｄｉｆｆを算出するサンプリングポイント間の距離、即ち、分解能は適宜変更しても良い。
［式１］
0005351231.tif 000002
【００５０】
なお、この距離Ｌ０’に対応する実環境上の距離Ｌ０は、基地局ｅＮＢと移動体通信端末ＵＥとの間の距離を示している。また、距離Ｌ１’＋Ｌ２’に対応する実環境上の距離Ｌ１＋Ｌ２は、基地局ｅＮＢからリレーノードＲＮを経由して移動体通信端末ＵＥに至るまでの距離を示している。
【００５１】
遅延量算出部１８３は、サンプリングポイントごとに算出されたＤｄｉｆｆを、あらかじめ決められた、操作画面上の距離と実環境上の距離との間の縮尺を示す情報を基に実環境上の距離に換算する。遅延量算出部１８３は、算出された距離を信号の伝搬速度ｃで除算することにより、各サンプリングポイントにおける遅延量Ｄ１を算出し、これをそのサンプリングポイントの位置情報と関連付ける。遅延量算出部１８３は、遅延量Ｄ１を示す情報が関連付けられた各サンプリングポイントの位置情報をパターン表示制御部１８２２に出力する。パターン表示制御部１８２２については後述する。
【００５２】
また、基地局マーカーＶｅＮＢ及びリレーノードマーカーＶＲＮの位置の特定後に、遅延量算出部１８３は、位置特定部１８１から、端末マーカーＶＵＥの位置情報を受ける。遅延量算出部１８３は、受けた位置情報に対応するサンプリングポイントを特定し、そのサンプリングポイントに関連付けられた遅延量Ｄ１を抽出する。遅延量算出部１８３は、抽出された遅延量Ｄ１を制御部１７に出力する。これにより、この遅延量Ｄ１が、制御部１７を介して遅延処理部１３２に設定される。なお、遅延量算出部１８３は、端末マーカーＶＵＥの位置情報を受けたときに、式１に基づき、その位置に対応する遅延量Ｄ１を算出し、これを制御部１７に出力するように動作させてもよい。
【００５３】
なお、遅延量算出部１８３は、端末マーカーＶＵＥの位置情報を受けたときに、基地局マーカーＶｅＮＢ、リレーノードマーカーＶＲＮ、及び端末マーカーＶＵＥの位置情報を基にＤｄｉｆｆを算出し、このＤｄｉｆｆを基に遅延量Ｄ１を算出してもよい。このように動作させることで、遅延量Ｄ１を、各マーカーの位置情報に基づき厳密に算出することが可能となる。
【００５４】
ゲイン算出部１８４は、位置特定部１８１から、基地局マーカーＶｅＮＢ及びリレーノードマーカーＶＲＮそれぞれの位置情報を受ける。ゲイン算出部１８４は、これらの位置情報を基に、各サンプリングポイントに対して、その位置と、基地局マーカーＶｅＮＢ及びリレーノードマーカーＶＲＮのそれぞれとの間の距離Ｌ０’及びＬ２’を算出する。
【００５５】
ゲイン算出部１８４は、サンプリングポイントごとに算出された距離Ｌ０’及びＬ２’を、あらかじめ決められた、操作画面上の距離と実環境上の距離との間の縮尺を示す情報を基に実環境上の距離Ｌ０及びＬ２に換算する。ゲイン算出部１８４は、算出された距離Ｌ０を基に、各サンプリングポイントにおけるＲＦ信号Ｅ０’の減衰量Ｇｅｎｂ’を算出する。この減衰量Ｇｅｎｂ’が、基地局ｅＮＢから送信されたＲＦ信号Ｅ０’が、距離Ｌ０だけ離れたサンプリングポイントに至るまでに減衰する減衰量を示している。また、ゲイン算出部１８４は、算出された距離Ｌ２を基に、各サンプリングポイントにおけるＲＦ信号Ｅ１’の減衰量Ｇｒｎ’を算出する。この減衰量Ｇｒｎ’が、リレーノードＲＮから送信されたＲＦ信号Ｅ１’が、距離Ｌ２だけ離れたサンプリングポイントに至るまでに減衰する減衰量を示している。ゲイン算出部１８４は、サンプリングポイントごとに算出された減衰量Ｇｅｎｂ’及び減衰量Ｇｒｎ’を、そのサンプリングポイントの位置情報に関連付ける。ゲイン算出部１８４は、減衰量Ｇｅｎｂ’及び減衰量Ｇｒｎ’が関連付けられた各サンプリングポイントの位置情報をパターン表示制御部１８２２に出力する。
【００５６】
また、基地局マーカーＶｅＮＢ及びリレーノードマーカーＶＲＮの位置の特定後に、ゲイン算出部１８４は、位置特定部１８１から、端末マーカーＶＵＥの位置情報を受ける。ゲイン算出部１８４は、各サンプリングポイントに対して、その位置と端末マーカーＶＵＥとの間の距離Ｌ３’を算出する。ゲイン算出部１８４は、サンプリングポイントごとに算出された距離Ｌ３’を、あらかじめ決められた、操作画面上の距離と実環境上の距離との間の縮尺を示す情報を基に実環境上の距離Ｌ３に換算する。ゲイン算出部１８４は、算出された距離Ｌ３を基に、各サンプリングポイントにおける移動体通信端末ＵＥからの信号の減衰量Ｇｕｅ’を算出する。この減衰量Ｇｕｅ’が、移動体通信端末ＵＥから送信された信号が、距離Ｌ３だけ離れたサンプリングポイントに至るまでに減衰する減衰量を示している。ゲイン算出部１８４は、サンプリングポイントごとに算出された減衰量Ｇｕｅ’を、そのサンプリングポイントの位置情報に関連付ける。ゲイン算出部１８４は、減衰量Ｇｕｅ’が関連付けられた各サンプリングポイントの位置情報をパターン表示制御部１８２２に出力する。
【００５７】
また、ゲイン算出部１８４は、受けた端末マーカーＶＵＥの位置情報に対応するサンプリングポイントを特定し、そのサンプリングポイントに関連付けられた減衰量Ｇｅｎｂ’及び減衰量Ｇｒｎ’を抽出する。ゲイン算出部１８４は、抽出された減衰量Ｇｅｎｂ’及び減衰量Ｇｒｎ’を、ゲインＧｅｎｂ及びレベルＧｒｎとして制御部１７に出力する。これにより、このゲインＧｅｎｂ及びレベルＧｒｎが、制御部１７を介してゲイン調整部１３１及び１４に設定される。
【００５８】
表示制御部１８２は、位置特定部１８１から、リレーノードマーカーＶＲＮの位置情報を受ける。表示制御部１８２は、この位置情報をマーカー表示制御部１８２１に出力し、操作画面上のリレーノードマーカーＶＲＮの位置を更新させる。
【００５９】
また、表示制御部１８２は、位置特定部１８１から、端末マーカーＶＵＥの位置情報を受ける。表示制御部１８２は、この位置情報をマーカー表示制御部１８２１に出力し、操作画面上の端末マーカーＶＵＥの位置を更新させる。
【００６０】
マーカー表示制御部１８２１は、ＵＩ１９から操作画面の表示指示を受けると、まず、図５Ａに示した、リレーノードマーカーＶＲＮの位置を指定するための操作画面を生成する。具体的には、マーカー表示制御部１８２１は、座標系上の所定の位置に基地局マーカーＶｅＮＢを固定し、基地局マーカーＶｅＮＢを基準として、リレーノードマーカーＶＲＮを一次元的に移動可能に構成された操作画面を生成する。表示制御部１８２は、マーカー表示制御部１８２１が生成したこの操作画面をＵＩ１９に出力する。これにより、操作者は、図５Ａに示すような操作画面を操作しながら、リレーノードマーカーＶＲＮの位置を指定することが可能となる。
【００６１】
次に、マーカー表示制御部１８２１は、表示制御部１８２からリレーノードマーカーＶＲＮの位置情報を受ける。マーカー表示制御部１８２１は、この位置情報に基づき、操作画面上におけるリレーノードマーカーＶＲＮの表示位置を更新する。また、マーカー表示制御部１８２１は、操作者の指示に基づき、リレーノードマーカーＶＲＮの位置が特定されると、図５Ｂに示した、端末マーカーＶＵＥの位置を指定するための操作画面を生成する。具体的には、マーカー表示制御部１８２１は、基地局マーカーＶｅＮＢ及びリレーノードマーカーＶＲＮに対して、端末マーカーＶＵＥが二次元的に移動可能に構成された操作画面を生成する。表示制御部１８２は、マーカー表示制御部１８２１が生成したこの操作画面をＵＩ１９に出力する。これにより、操作者は、図５Ｂに示すような操作画面を操作しながら、端末マーカーＶＵＥの位置を指定することが可能となる。
【００６２】
また、マーカー表示制御部１８２１は、端末マーカーＶＵＥの位置情報を受ける。マーカー表示制御部１８２１は、この位置情報に基づき、操作画面上における端末マーカーＶＵＥの表示位置を更新する。
【００６３】
パターン表示制御部１８２２は、基地局マーカーＶｅＮＢ及びリレーノードマーカーＶＲＮの位置の特定後に、遅延量算出部１８３から、遅延量Ｄ１を示す情報が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた遅延量Ｄ１が、その座標系上の位置に関連付けられる。パターン表示制御部１８２２は、座標系上の各位置に関連付けられた遅延量Ｄ１を識別可能に表示させたパターンＧ１１を生成する。図６Ａは、このパターンＧ１１の一例を示している。具体的には、パターン表示制御部１８２２は、遅延量Ｄ１の値が略同一のサンプリングポイントを特定し、それらを結んだ曲線を生成する。パターン表示制御部１８２２は、この曲線の生成に係る処理を、遅延量Ｄ１の値を所定の範囲で変化させながら、その値ごとに実行する。これにより、図６Ａに示すようなパターンＧ１１（即ち、等値線）が生成される。
【００６４】
表示制御部１８２は、パターン表示制御部１８２２が生成したパターンＧ１１を、マーカー表示制御部１８２１が生成した図５Ｂに示す操作画面に重畳表示させる。これにより、操作者は、端末マーカーＶＵＥの位置を変化させた場合に、各位置における遅延量Ｄ１の変化を容易に識別することが可能となる。したがって、操作者は、端末マーカーＶＵＥを所望する遅延量Ｄ１を示す位置に設定することで、試験を実行するための遅延量Ｄ１を選択的に容易に設定することが可能となる。
【００６５】
また、パターン表示制御部１８２２は、基地局マーカーＶｅＮＢ及びリレーノードマーカーＶＲＮの位置の特定後に、ゲイン算出部１８４から、減衰量Ｇｅｎｂ’及び減衰量Ｇｒｎ’が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた減衰量Ｇｅｎｂ’及び減衰量Ｇｒｎ’が、その座標系上の位置に関連付けられる。パターン表示制御部１８２２は、座標系上の各位置に関連付けられた減衰量Ｇｅｎｂ’及び減衰量Ｇｒｎ’を識別可能に表示させたパターンＧ２１及びＧ２２を生成する。図６Ｂは、このパターンＧ２１及びＧ２２の一例を示している。例えば、パターンＧ２１を生成する場合には、パターン表示制御部１８２２は、減衰量Ｇｅｎｂ’の値が略同一のサンプリングポイントを特定し、それらを結んだ曲線を生成する。パターン表示制御部１８２２は、この曲線の生成に係る処理を、減衰量Ｇｅｎｂ’の値を所定の範囲で変化させながら、その値ごとに実行する。これにより、図６Ｂに示すようなパターンＧ２１（等値線）が生成される。同様に、パターンＧ２２の場合には、パターン表示制御部１８２２は、減衰量Ｇｒｎ’の値を基にパターンＧ２２を形成する各曲線を生成する。なお、減衰量Ｇｅｎｂ’及び減衰量Ｇｒｎ’は、対応する機器（基地局ｅＮＢ及びリレーノードマーカーＲＮ）から遠くなるにつれてその値は増加する。そのため、図６Ｂに示すように、パターンＧ２１及びＧ２２それぞれを形成する各曲線は、対応するマーカーを中心とした同心円となる。
【００６６】
表示制御部１８２は、パターン表示制御部１８２２が生成したパターンＧ２１及びＧ２２を、マーカー表示制御部１８２１が生成した図５Ｂに示す操作画面に重畳表示させる。これにより、操作者は、基地局マーカーＶｅＮＢ及びリレーノードマーカーＶＲＮの相対的な位置関係に応じて、各位置におけるＲＦ信号Ｅ０’及びＲＦ信号Ｅ１’ の減衰量の変化を容易に識別することが可能となる。したがって、操作者は、端末マーカーＶＵＥを所望する減衰量Ｇｅｎｂ’及び減衰量Ｇｒｎ’を示す位置に設定することで、試験を実行するための減衰量Ｇｅｎｂ’及び減衰量Ｇｒｎ’を選択的に容易に設定することが可能となる。
【００６７】
また、パターン表示制御部１８２２は、端末マーカーＶＵＥの位置の特定後に、ゲイン算出部１８４から、減衰量Ｇｕｅ’が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた減衰量Ｇｕｅ’が、その座標系上の位置に関連付けられる。パターン表示制御部１８２２は、座標系上の各位置に関連付けられた減衰量Ｇｕｅ’を識別可能に表示させたパターンＧ３１を生成する。図６Ｃは、このパターンＧ３１の一例を示している。具体的には、パターン表示制御部１８２２は、減衰量Ｇｕｅ’の値が略同一のサンプリングポイントを特定し、それらを結んだ曲線を生成する。パターン表示制御部１８２２は、この曲線の生成に係る処理を、減衰量Ｇｕｅ’の値を所定の範囲で変化させながら、その値ごとに実行する。これにより、図６Ｃに示すようなパターンＧ３１（即ち、等値線）が生成される。なお、減衰量Ｇｕｅ’は、移動体通信端末ＵＥから遠くなるにつれてその値は増加する。そのため、図６Ｃに示すように、パターンＧ３１を形成する各曲線は、端末マーカーＶＵＥを中心とした同心円となる。
【００６８】
表示制御部１８２は、パターン表示制御部１８２２が生成したパターンＧ３１を、マーカー表示制御部１８２１が生成した図５Ｂに示す操作画面に重畳表示させる。これにより、操作者は、端末マーカーＶＵＥの位置に応じた、各位置における移動体通信端末ＵＥから信号の減衰量の変化を容易に識別することが可能となる。
【００６９】
なお、パターンＧ１１、Ｇ２１、Ｇ２２、及びＧ３１は、等値線に限らず、例えば、算出された値（遅延量または減衰量）を所定の色と関連付けて、その値に応じて座標系上の各領域を色分けして表示（例えば、グラデーション表示）させてもよい。
【００７０】
また、パターンＧ１１、Ｇ２１、Ｇ２２、及びＧ３１は、それぞれを切り替えながら表示可能に構成してもよいし、これらのうちの一部または全部を重畳表示させてもよい。
【００７１】
また、パターンＧ１１、Ｇ２１、Ｇ２２、及びＧ３１は、座標系上の位置と、算出された値（即ち、遅延量または減衰量の値）とが、必ずしも厳密に１対１で対応している必要は無い。例えば、座標系上を大まかに複数の領域に分割し、各領域に対して、その領域に含まれる位置のいずれかに対応する値を割当ててもよい。また、図６Ａ〜図６Ｃにおいて曲線で提示された各パターンを、例えば、各曲線の一部もしくは全部を近似した直線により描画してもよい。これらのような場合には、指定された位置に基づく値（遅延量または減衰量の値）を試験に用いるように動作させてもよいし、その位置が含まれる領域に関連付けられた値を用いるように動作させてもよい。
【００７２】
また、上記では、サンプリングポイントごとに遅延量または減衰量を算出していたが、これに替えて、各マーカーの位置を変数として各パターン（例えば、パターンＧ１１、Ｇ２１、Ｇ２２、及びＧ３１）を生成してもよい。例えば、遅延量の場合には、差Ｄｄｉｆｆを変化させながら式１をｘ１及びｙ１の式に展開することで、パターンＧ１１（等値線）を形成する遅延量ごとの各曲線を表す関数として導出することが可能である。また、減衰量の場合には、各マーカーからの距離と減衰量との関係に基づき、そのマーカーを中心とした円を表す関数を、減衰量ごとに導出することが可能である。このとき、減衰量ごとの各円は、前述したとおり、対応するマーカーを中心とした同心円となる。
【００７３】
設定情報表示制御部１８２３は、リレーノードＲＮの設定情報を指定するための操作画面を生成するための構成である。この設定情報には、例えば、リレーノードＲＮの識別情報や、Ｃ−Ｐｌａｎｅを生成するために必要な情報等が含まれる。この設定情報を指定するためのテンプレートや選択肢等の情報は、あらかじめ生成されて設定情報記憶部１８５に記憶されている。設定情報表示制御部１８２３は、設定情報記憶部１８５に記憶された情報に基づき、設定情報を指定するための操作画面を生成する。表示制御部１８２は、設定情報表示制御部１８２３が生成したこの操作画面をＵＩ１９に出力する。これにより、操作者は、この操作画面に基づきリレーノードＲＮの設定情報を指定することが可能となる。この操作画面に基づき、操作者により設定されたリレーノードＲＮの設定情報を、ＵＩ１９は、設定情報出力部１８６に出力する。
【００７４】
設定情報出力部１８６は、ＵＩ１９を介して操作者が指定したリレーノードＲＮの設定情報を受ける。設定情報出力部１８６は、この設定情報を制御部１７に出力する。これにより、例えば、Ｃ−Ｐｌａｎｅを生成するために必要な情報が、制御部１７からＣ−Ｐｌａｎｅ伝送処理部１２４に送出される。
【００７５】
ＵＩ１９は、操作者がリレーノードシミュレーター１を操作するためのＵｓｅｒ  Ｉｎｔｅｒｆａｃｅである。ＵＩ１９は表示部を備えており、表示制御部１８２から、測定条件やリレーノードＲＮの設定情報を指定するための操作画面を受けて、これを表示部に表示させる。また、ＵＩ１９は、操作部を備えている。ＵＩ１９は、この操作部を介して、操作者により指定されたリレーノードマーカーＶＲＮ及び端末マーカーＶＵＥの位置を示す情報を受け、これを位置特定部１８１に出力する。また、ＵＩ１９は、操作部を介して、操作者から入力されたリレーノードＲＮの設定情報を受け、これを設定情報出力部１８６に出力する。
【００７６】
次に、図７を参照しながら、ＵＩ制御部１８の一連の動作について、操作画面の表示と、その操作画面に基づき遅延量Ｄ１、ゲインＧｅｎｂ、及びレベルＧｒｎが制御部１７に出力されるまでの動作に着目して説明する。図７は、ＵＩ制御部１８の一連の動作を示したフローチャートである。
【００７７】
（ステップＳ１１）
マーカー表示制御部１８２１は、ＵＩ１９から操作画面の表示指示を受けると、まず、図５Ａに示した、リレーノードマーカーＶＲＮの位置を指定するための操作画面を生成する。具体的には、マーカー表示制御部１８２１は、座標系上の所定の位置に基地局マーカーＶｅＮＢを固定し、基地局マーカーＶｅＮＢを基準として、リレーノードマーカーＶＲＮを一次元的に移動可能に構成された操作画面を生成する。表示制御部１８２は、マーカー表示制御部１８２１が生成したこの操作画面をＵＩ１９に出力する。これにより、操作者は、図５Ａに示すような操作画面を操作しながら、リレーノードマーカーＶＲＮの位置を指定することが可能となる。
【００７８】
位置特定部１８１は、ＵＩ１９から、操作者により指定されたリレーノードマーカーＶＲＮの位置情報を受ける。位置特定部１８１は、リレーノードマーカーＶＲＮの位置情報を表示制御部１８２に出力する。これを受けて、表示制御部１８２は、操作画面上のリレーノードマーカーＶＲＮの表示位置を更新し、この操作画面をＵＩ１９上に表示させる。また、位置特定部１８１は、基地局マーカーＶｅＮＢ及びリレーノードマーカーＶＲＮそれぞれの位置情報を遅延量算出部１８３及びゲイン算出部１８４に出力する。
【００７９】
（ステップＳ１２）
遅延量算出部１８３は、位置特定部１８１から、基地局マーカーＶｅＮＢ及びリレーノードマーカーＶＲＮそれぞれの位置情報を受ける。遅延量算出部１８３は、これらの位置情報を基に、基地局マーカーＶｅＮＢとリレーノードマーカーＶＲＮとの間の距離Ｌ１’を算出する。遅延量算出部１８３は、座標系上の各サンプリングポイントに対して、その位置と、基地局マーカーＶｅＮＢ及びリレーノードマーカーＶＲＮのそれぞれとの間の距離Ｌ０’及びＬ２’を算出する。遅延量算出部１８３は、算出された距離Ｌ１’、Ｌ０’、及びＬ２’を式１に適用して、距離Ｌ０’と距離Ｌ１’＋Ｌ２’との差Ｄｄｉｆｆを算出する
【００８０】
遅延量算出部１８３は、サンプリングポイントごとに算出されたＤｄｉｆｆを、あらかじめ決められた、操作画面上の距離と実環境上の距離との間の縮尺を示す情報を基に実環境上の距離に換算する。遅延量算出部１８３は、算出された距離を信号の伝搬速度ｃで除算することにより、各サンプリングポイントにおける遅延量Ｄ１を算出し、これをそのサンプリングポイントの位置情報と関連付ける。遅延量算出部１８３は、遅延量Ｄ１を示す情報が関連付けられた各サンプリングポイントの位置情報をパターン表示制御部１８２２に出力する。
【００８１】
また、ゲイン算出部１８４は、位置特定部１８１から、基地局マーカーＶｅＮＢ及びリレーノードマーカーＶＲＮそれぞれの位置情報を受ける。ゲイン算出部１８４は、これらの位置情報を基に、各サンプリングポイントに対して、その位置と、基地局マーカーＶｅＮＢ及びリレーノードマーカーＶＲＮのそれぞれとの間の距離Ｌ０’及びＬ２’を算出する。
【００８２】
ゲイン算出部１８４は、サンプリングポイントごとに算出された距離Ｌ０’及びＬ２’を、あらかじめ決められた、操作画面上の距離と実環境上の距離との間の縮尺を示す情報を基に実環境上の距離Ｌ０及びＬ２に換算する。ゲイン算出部１８４は、算出された距離Ｌ０を基に、各サンプリングポイントにおけるＲＦ信号Ｅ０’の減衰量Ｇｅｎｂ’を算出する。また、ゲイン算出部１８４は、算出された距離Ｌ２を基に、各サンプリングポイントにおけるＲＦ信号Ｅ１’の減衰量Ｇｒｎ’を算出する。ゲイン算出部１８４は、サンプリングポイントごとに算出された減衰量Ｇｅｎｂ’及び減衰量Ｇｒｎ’を、そのサンプリングポイントの位置情報に関連付ける。ゲイン算出部１８４は、減衰量Ｇｅｎｂ’及び減衰量Ｇｒｎ’が関連付けられた各サンプリングポイントの位置情報をパターン表示制御部１８２２に出力する。
【００８３】
（ステップＳ１３）
マーカー表示制御部１８２１は、操作者の指示に基づき、リレーノードマーカーＶＲＮの位置が特定されると、図５Ｂに示した、端末マーカーＶＵＥの位置を指定するための操作画面を生成する。具体的には、マーカー表示制御部１８２１は、基地局マーカーＶｅＮＢ及びリレーノードマーカーＶＲＮに対して、端末マーカーＶＵＥが二次元的に移動可能に構成された操作画面を生成する。表示制御部１８２は、マーカー表示制御部１８２１が生成したこの操作画面をＵＩ１９に出力する。
【００８４】
パターン表示制御部１８２２は、基地局マーカーＶｅＮＢ及びリレーノードマーカーＶＲＮの位置の特定後に、遅延量算出部１８３から、遅延量Ｄ１を示す情報が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた遅延量Ｄ１が、その座標系上の位置に関連付けられる。パターン表示制御部１８２２は、座標系上の各位置に関連付けられた遅延量Ｄ１を識別可能に表示させたパターンＧ１１を生成する。図６Ａは、このパターンＧ１１の一例を示している。具体的には、パターン表示制御部１８２２は、遅延量Ｄ１の値が略同一のサンプリングポイントを特定し、それらを結んだ曲線を生成する。パターン表示制御部１８２２は、この曲線の生成に係る処理を、遅延量Ｄ１の値を所定の範囲で変化させながら、その値ごとに実行する。これにより、図６Ａに示すようなパターンＧ１１（即ち、等値線）が生成される。
【００８５】
表示制御部１８２は、パターン表示制御部１８２２が生成したパターンＧ１１を、マーカー表示制御部１８２１が生成した図５Ｂに示す操作画面に重畳表示させる。
【００８６】
また、パターン表示制御部１８２２は、基地局マーカーＶｅＮＢ及びリレーノードマーカーＶＲＮの位置の特定後に、ゲイン算出部１８４から、減衰量Ｇｅｎｂ’及び減衰量Ｇｒｎ’が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた減衰量Ｇｅｎｂ’及び減衰量Ｇｒｎ’が、その座標系上の位置に関連付けられる。パターン表示制御部１８２２は、座標系上の各位置に関連付けられた減衰量Ｇｅｎｂ’及び減衰量Ｇｒｎ’を識別可能に表示させたパターンＧ２１及びＧ２２を生成する。図６Ｂは、このパターンＧ２１及びＧ２２の一例を示している。例えば、パターンＧ２１を生成する場合には、パターン表示制御部１８２２は、減衰量Ｇｅｎｂ’の値が略同一のサンプリングポイントを特定し、それらを結んだ曲線を生成する。パターン表示制御部１８２２は、この曲線の生成に係る処理を、減衰量Ｇｅｎｂ’の値を所定の範囲で変化させながら、その値ごとに実行する。これにより、図６Ｂに示すようなパターンＧ２１（等値線）が生成される。同様に、パターンＧ２２の場合には、パターン表示制御部１８２２は、減衰量Ｇｒｎ’の値を基にパターンＧ２２を形成する各曲線を生成する。なお、減衰量Ｇｅｎｂ’及び減衰量Ｇｒｎ’は、対応する機器（基地局ｅＮＢ及びリレーノードマーカーＲＮ）から遠くなるにつれてその値は増加する。そのため、図６Ｂに示すように、パターンＧ２１及びＧ２２それぞれを形成する各曲線は、対応するマーカーを中心とした同心円となる。
【００８７】
表示制御部１８２は、パターン表示制御部１８２２が生成したパターンＧ２１及びＧ２２を、マーカー表示制御部１８２１が生成した図５Ｂに示す操作画面に重畳表示させる。
【００８８】
（ステップＳ１４）
リレーノードマーカーＶＲＮの位置の特定後に、位置特定部１８１は、ＵＩ１９から、操作者により指定された端末マーカーＶＵＥの位置を示す情報を受ける。例えば、図５Ｂの場合には、位置特定部１８１は、ＵＩ１９から端末マーカーＶＵＥの位置を示す座標Ｐ２（ｘ１，ｙ１）を位置情報として受ける。位置特定部１８１は、端末マーカーＶＵＥの位置情報を表示制御部１８２に出力する。これを受けて、表示制御部１８２は、操作画面上の端末マーカーＶＵＥの表示位置を更新し、この操作画面をＵＩ１９上に表示させる。また、位置特定部１８１は、端末マーカーＶＵＥの位置情報を遅延量算出部１８３及びゲイン算出部１８４に出力する。
【００８９】
（ステップＳ１５）
遅延量算出部１８３は、位置特定部１８１から、端末マーカーＶＵＥの位置情報を受ける。遅延量算出部１８３は、受けた位置情報に対応するサンプリングポイントを特定し、そのサンプリングポイントに関連付けられた遅延量Ｄ１を抽出する。
【００９０】
また、基地局マーカーＶｅＮＢ及びリレーノードマーカーＶＲＮの位置の特定後に、ゲイン算出部１８４は、位置特定部１８１から、端末マーカーＶＵＥの位置情報を受ける。ゲイン算出部１８４は、各サンプリングポイントに対して、その位置と端末マーカーＶＵＥとの間の距離Ｌ３’を算出する。ゲイン算出部１８４は、サンプリングポイントごとに算出された距離Ｌ３’を、あらかじめ決められた、操作画面上の距離と実環境上の距離との間の縮尺を示す情報を基に実環境上の距離Ｌ３に換算する。ゲイン算出部１８４は、算出された距離Ｌ３を基に、各サンプリングポイントにおける移動体通信端末ＵＥからの信号の減衰量Ｇｕｅ’を算出する。ゲイン算出部１８４は、サンプリングポイントごとに算出された減衰量Ｇｕｅ’を、そのサンプリングポイントの位置情報に関連付ける。ゲイン算出部１８４は、減衰量Ｇｕｅ’が関連付けられた各サンプリングポイントの位置情報をパターン表示制御部１８２２に出力する。
【００９１】
パターン表示制御部１８２２は、端末マーカーＶＵＥの位置の特定後に、ゲイン算出部１８４から、減衰量Ｇｕｅ’が関連付けられた各サンプリングポイントの位置情報を受ける。パターン表示制御部１８２２は、受けた各サンプリングポイントの位置情報を、座標系上の位置と対応付ける。これにより、座標系上の位置に対応するサンプリングポイントの位置情報に関連付けられた減衰量Ｇｕｅ’が、その座標系上の位置に関連付けられる。パターン表示制御部１８２２は、座標系上の各位置に関連付けられた減衰量Ｇｕｅ’を識別可能に表示させたパターンＧ３１を生成する。図６Ｃは、このパターンＧ３１の一例を示している。具体的には、パターン表示制御部１８２２は、減衰量Ｇｕｅ’の値が略同一のサンプリングポイントを特定し、それらを結んだ曲線を生成する。パターン表示制御部１８２２は、この曲線の生成に係る処理を、減衰量Ｇｕｅ’の値を所定の範囲で変化させながら、その値ごとに実行する。これにより、図６Ｃに示すようなパターンＧ３１（即ち、等値線）が生成される。なお、減衰量Ｇｕｅ’は、移動体通信端末ＵＥから遠くなるにつれてその値は増加する。そのため、図６Ｃに示すように、パターンＧ３１を形成する各曲線は、端末マーカーＶＵＥを中心とした同心円となる。
【００９２】
表示制御部１８２は、パターン表示制御部１８２２が生成したパターンＧ３１を、マーカー表示制御部１８２１が生成した図５Ｂに示す操作画面に重畳表示させる。
【００９３】
また、ゲイン算出部１８４は、受けた端末マーカーＶＵＥの位置情報に対応するサンプリングポイントを特定し、そのサンプリングポイントに関連付けられた減衰量Ｇｅｎｂ’及び減衰量Ｇｒｎ’を抽出する。
【００９４】
（ステップＳ１６）
なお、ＵＩ１９を介して、操作者により、リレーノードマーカーＶＲＮの位置の位置が変更された場合には（ステップＳ１６、Ｙ）、ステップＳ１１以降の一連の処理が再度実行される。
【００９５】
（ステップＳ１７）
また、ＵＩ１９を介して、操作者により、端末マーカーＶＵＥの位置が変更された場合には（ステップＳ１７、Ｙ）、ステップＳ１４以降の一連の処理が再度実行される。
【００９６】
（ステップＳ１８）
リレーノードマーカーＶＲＮ及び端末マーカーＶＵＥの位置の位置が特定された場合には（ステップＳ１６、Ｎ、かつ、ステップＳ１７、Ｎ）、遅延量算出部１８３は、抽出された遅延量Ｄ１を制御部１７に出力する。これにより、この遅延量Ｄ１が、制御部１７を介して遅延処理部１３２に設定される。なお、遅延量算出部１８３は、端末マーカーＶＵＥの位置情報を受けたときに、式１に基づき、その位置に対応する遅延量Ｄ１を算出し、これを制御部１７に出力するように動作させてもよい。また、ゲイン算出部１８４は、抽出された減衰量Ｇｅｎｂ’及び減衰量Ｇｒｎ’を、ゲインＧｅｎｂ及びレベルＧｒｎとして制御部１７に出力する。これにより、このゲインＧｅｎｂ及びレベルＧｒｎが、制御部１７を介してゲイン調整部１３１及び１４に設定される。以降は、これらの設定値に基づき試験が実行される。
【００９７】
以上、本実施形態に係るリレーノードシミュレーター１は、基地局マーカーＶｅＮＢ及びリレーノードマーカーＶＲＮの位置に基づき、端末マーカーＶＵＥの位置を変化させた場合における遅延量Ｄ１、ゲインＧｅｎｂ、及びレベルＧｒｎを算出する。このリレーノードシミュレーター１は、これらの値が識別可能に提示されたパターンＧ１１、Ｇ２１、及びＧ２２（またはＧ３１）を操作画面上に表示させる。これにより、操作者は、端末マーカーＶＵＥの位置を変化させた場合に、各位置における遅延量Ｄ１、ゲインＧｅｎｂ、及びレベルＧｒｎの変化を容易に確認することが可能となる。
【００９８】
また、このリレーノードシミュレーター１は、パターンＧ１１、Ｇ２１、及びＧ２２（またはＧ３１）に基づき指定された端末マーカーＶＵＥの位置情報を受けて、試験に用いる遅延量Ｄ１、ゲインＧｅｎｂ、及びレベルＧｒｎを決定する。これにより、操作者は、基地局マーカーＶｅＮＢ、リレーノードマーカーＶＲＮ、及び端末マーカーＶＵＥの位置関係を決めるだけで、この位置関係に応じた試験信号をこのリレーノードシミュレーター１で生成させることが可能となる。
【００９９】
なお、本実施形態では、リレーノードＲＮからの信号と、基地局ｅＮＢからの信号とが時分割多重される構成を例として説明したが、前述のように、時分割多重を行わずに、基地局から継続して信号を出力し、基地局からの信号とリレーノードからの信号とに対してリソースエレメントの割当てを制御することで、これらの信号の干渉を防止する構成に対しても、本発明は適用できる。
【０１００】
また、本実施形態では、ｅＮＢ５００からのＲＦ信号Ｅ０’を受信部１１で受けて、ベースバンド信号に変換する構成としていたが、受信部１１を省略して、ＲＦ信号Ｅ０’に変換される前のベースバンド信号Ｅ０を直接受ける構成としてもよい。この場合には、例えばｅＮＢ５００の代わりに、ベースバンド信号Ｅ０を出力可能な疑似基地局装置を本発明のリレーノードシミュレーターに接続することで、被試験端末に対して同様の試験を行うことが可能である。ここで、ＲＦ信号Ｅ０’に変換される前のベースバンド信号Ｅ０は、ＲＦ信号Ｅ０’に対応するベースバンド信号である。
【符号の説明】
【０１０１】
１  リレーノードシミュレーター
１０  ダウンリンク処理部
１１  受信部
１２  リレーノード処理部
１２１  復調部
１２２  Ｕ−Ｐｌａｎｅ再生処理部
１２３  Ｕ−Ｐｌａｎｅ伝送処理部
１２４  Ｃ−Ｐｌａｎｅ伝送処理部
１２５  変調部
１３１  ゲイン調整部
１３２  遅延処理部
１４  ゲイン調整部
１５  加算器
１６  送信部
１７  制御部
１８  ＵＩ制御部
１８１  位置特定部
１８２  表示制御部
１８２１  マーカー表示制御部
１８２２  パターン表示制御部
１８２３  設定情報表示制御部
１８３  遅延量算出部
１８４  ゲイン算出部
１８５  設定情報記憶部
１８６  設定情報出力部
１９  ＵＩ
２０  アップリンク処理部
３１  方向性結合器
３２  方向性結合器
５００  ｅＮＢ
６００  被試験端末
【図１】
0005351231.tif 000003
【図２Ａ】
0005351231.tif 000004
【図２Ｂ】
0005351231.tif 000005
【図３】
0005351231.tif 000006
【図４Ａ】
0005351231.tif 000007
【図４Ｂ】
0005351231.tif 000008
【図４Ｃ】
0005351231.tif 000009
【図５Ａ】
0005351231.tif 000010
【図５Ｂ】
0005351231.tif 000011
【図６Ａ】
0005351231.tif 000012
【図６Ｂ】
0005351231.tif 000013
【図６Ｃ】
0005351231.tif 000014
【図７】
0005351231.tif 000015